(57)【要約】      （修正有）【課題】表示装置から離間して配置された生体情報測定装置による測定中に、その生体情報の視認性を向上させる生体情報測定システムを提供する。【解決手段】使用者の生体情報を測定する複数の生体情報測定装置、表示装置と、生体情報測定装置により測定された生体情報を前記表示装置に表示させる制御部とを備え、前記一方の生体情報測定装置は前記他方の生体情報測定装置よりも前記表示装置に対し離間して配置され、前記制御部は、前記表示装置に生体情報を表示させるモードとして、前記の生体情報測定装置で測定された生体情報を、前記表示装置に文字及び数字の少なくともいずれかで表示させる第１の表示モードと、前記一方の生体情報測定装置による生体情報の測定中に、前記の生体情報を前記第１の表示モードよりも大きなサイズの文字及び数字の少なくともいずれかで表示させる第２の表示モードと、を有することを特徴とする生体情報測定システムを提供する。【選択図】図４
2010017253.tif 000002
【特許請求の範囲】
【請求項１】
使用者の第１の生体情報を測定する第１の生体情報測定装置と、
使用者の第２の生体情報を測定する第２の生体情報測定装置と、
表示装置と、
前記第１の生体情報測定装置により測定された前記第１の生体情報と、前記第２の生体情報測定装置により測定された前記第２の生体情報を前記表示装置に表示させる制御部と、
を備え、
前記第２の生体情報測定装置は、前記表示装置に対し前記第１の生体情報測定装置よりも離間して配置され、
前記制御部は、前記表示装置に生体情報を表示させるモードとして、
前記第１の生体情報測定装置で測定された前記第１の生体情報を、前記表示装置に文字及び数字の少なくともいずれかで表示させる第１の表示モードと、
前記第２の生体情報測定装置による前記第２の生体情報の測定中に、前記第２の生体情報を前記第１の表示モードよりも大きなサイズの文字及び数字の少なくともいずれかで表示させる第２の表示モードと、
を有することを特徴とする生体情報測定システム。
【請求項２】
前記第１の生体情報測定装置は、前記使用者がトイレ室の腰掛式便器の便座に着座した状態において前記第１の生体情報を測定し、
前記第２の生体情報測定装置は、前記便器から離間して設置され、前記使用者が乗ることによって前記第２の生体情報としての体重値を測定し、
前記表示装置は、前記腰掛式便器の側方に設置されることを特徴とする請求項１記載の生体情報測定システム。
【請求項３】
前記第２の生体情報測定装置は、前記トイレ室内の床面に埋設されることを特徴とする請求項２記載の生体情報測定システム。
【請求項４】
前記表示装置は、操作部を有し、
前記制御部は、前記操作部によって前記第２の生体情報測定装置による前記第２の生体情報の測定を開始する操作に基づいて、前記第２の表示モードによる表示を実行することを特徴とする請求項１〜３のいずれか１つに記載の生体情報測定システム。
【請求項５】
前記制御部は、前記第２の生体情報測定装置で測定された前記第２の生体情報に対応する信号を受信すると、前記第２の表示モードによる表示を実行することを特徴とする請求項１〜３のいずれか１つに記載の生体情報測定システム。
【発明の詳細な説明】
【技術分野】
【０００１】
本発明の態様は一般的に、使用者の生体情報を測定して表示できる生体情報測定システムに関する。
【背景技術】
【０００２】
使用者の尿糖値、血圧、体重などの生体情報を測定し、これらの生体情報を表示装置に表示させるシステムが知られている（例えば、特許文献１：特開２００６−０１７５６０号公報）。特許文献１に記載されたシステムでは、使用者は便器の便座に着座し、採尿部によって採取された尿より尿糖値を測定するよう構成されている。また、便器の側方には使用者の手首に装着する血圧計が配設されており、使用者は便座に着座した状態で血圧を測定することができる。
【０００３】
この特許文献１に記載されたシステムは、尿の採取から表示装置に尿糖値が表示されるまでに長時間を要するものが前提とされている。そのため、使用者が便座に着座したまま、尿糖値が表示装置に表示されるのを待つといった無為な時間を過ごすことがないよう工夫がなされている。すなわち、尿糖値を表示する表示装置は、手洗器の近傍に配設されたメインパネルに設けられており、使用者が便座から立ち上がって、手洗器の前に移動して手洗器で手を洗っているころに、表示装置に尿糖値が表示されるよう構成されている。
【０００４】
さらに、手洗器の前方には体重計が設けられ、使用者が手を洗う際にこの体重計に乗ることで、体重をも測定することが可能とされている。メインパネルの表示装置に体重計の測定値を表示させることで、使用者は尿糖値や血圧値に加えて体重値を確認することができる。これにより、使用者は有為な時間を過ごしながら尿糖値が表示されるのを待つため、時間の無駄遣いをしなくて済むものである。
【特許文献１】特開２００６−０１７５６０号公報
【発明の開示】
【発明が解決しようとする課題】
【０００５】
近年の技術向上により、尿の採取から表示装置に尿糖値が表示されるまでに要する時間は大幅に短縮され、使用者は殆ど待つことなく尿糖値を確認できるようになった。このような条件下では、使用者にとっては、むしろ便座に着座したままの状態で、表示された尿糖値を確認できた方が好都合な場合がある。例えば、表示装置に尿糖値が表示されることにより、使用者は便座に着座したまま尿糖値の測定が正常に完了したことを認識できるため、引き続き便器側方の血圧計による血圧の測定にスムースに移行することができる。したがってこの場合、使用者が便座に着座したままの状態で測定値を視認できるよう、表示装置は便器の近傍に配置することが好ましい。
【０００６】
しかしながら、レイアウト上の制約などから、すべての生体情報測定装置を表示装置の近傍に集約できない場合も多い。例えば、床面に設けられる体重計などは、使用者が便器を使用した際に尿などが飛散してかからないよう、便器から離れた位置に配置することが好ましい。この場合、体重計は便器の近傍に配置された表示装置からもやや遠い位置に配置されることとなるため、体重計で測定した体重値を表示装置に表示しても、体重計の位置からは見え辛いことがある。
【０００７】
特に、体重計の測定値は、使用者の姿勢が安定するまで変動が生じやすい。使用者は、表示装置に表示された体重値が安定して体重値が確定したことを確認してから、体重計から降りるのが一般的である。しかし、上述のように、体重計と表示装置との距離が大きい場合には、体重計の位置からは測定完了を視認することが困難となる。
【０００８】
本発明は、表示装置から離れて配置された生体情報測定装置による測定中に、その生体情報の視認性を向上させることができる生体情報測定システムを提供することを目的とする。
【課題を解決するための手段】
【０００９】
上記課題を解決するために、本発明に係る生体情報システムは、使用者の第１の生体情報を測定する第１の生体情報測定装置と、使用者の第２の生体情報を測定する第２の生体情報測定装置と、表示装置と、前記第１の生体情報測定装置により測定された前記第１の生体情報と、前記第２の生体情報測定装置により測定された前記第２の生体情報を前記表示装置に表示させる制御部と、を備え、前記第２の生体情報測定装置は、前記表示装置に対し前記第１の生体情報測定装置よりも離間して配置され、前記制御部は、前記表示装置に生体情報を表示させるモードとして、前記第１の生体情報測定装置で測定された前記第１の生体情報を、前記表示装置に文字及び数字の少なくともいずれかで表示させる第１の表示モードと、前記第２の生体情報測定装置による前記第２の生体情報の測定中に、前記第２の生体情報を前記第１の表示モードよりも大きなサイズの文字及び数字の少なくともいずれかで表示させる第２の表示モードと、を有することを特徴とする。
【００１０】
本発明によれば、表示装置に対し第１の生体情報測定装置よりも離間して配置される第２の生体情報測定装置による第２の生体情報の測定中は、表示装置を、第１の表示モードよりも大きなサイズの文字及び数字の少なくともいずれかで第２の生体情報を表示する第２の表示モードとする。したがって、使用者は第２の生体情報測定装置の位置からも、第２の生体情報測定装置による第２の生体情報の測定が正常に行われたことを確実に視認することができ、使い勝手の良い生体情報測定システムを提供することができる。
【００１１】
本発明の好ましい形態では、前記第１の生体情報測定装置は、前記使用者がトイレ室の腰掛式便器の便座に着座した状態において前記第１の生体情報を測定し、前記第２の生体情報測定装置は、前記便器から離間して設置され、前記使用者が乗ることによって前記第２の生体情報としての体重値を測定し、前記表示装置は、前記腰掛式便器の側方に設置される。
【００１２】
本発明によれば、使用者は腰掛式便器の便座に着座した状態で、その側方に設置された表示装置の第１の表示モードによって、第１の生体情報の測定が正常に行われたことを確認する。一方、第２の生体情報測定装置による体重値の測定中は、第１の表示モードよりも大きなサイズの文字及び数字の少なくともいずれかで体重値を表示する第２の表示モードによって、測定が正常に行われたことを確認する。したがって、使用者は、表示装置に対し腰掛式便器より離間した第２の生体情報測定装置の位置から、測定中に使用者の姿勢が安定するまで変動が生じやすい体重値の測定が完了したことを確実に視認することができ、さらに使い勝手の良い生体情報測定システムを提供することができる。
【００１３】
本発明の好ましい形態では、前記第２の生体情報測定装置は、前記トイレ室内の床面に埋設される。
【００１４】
トイレ室内の床面に埋設されて使用者の体重値を測定する第２の生体情報測定装置は、トイレ室内の意匠性を損なうことも少なく、また、使用者が第２の生体情報測定装置で躓くおそれも少ないため、有用性が高い。しかし、埋設されていることから、第２の生体情報測定装置そのものに体重値を表示させて使用者に確認させることが困難である。本発明によれば、このように埋設されて使用者の体重値を測定する第２の生体情報測定装置であっても、測定した体重値を表示装置に表示させるため、体重値の測定が正常に行われたことを確実に視認することができる。
【００１５】
本発明の好ましい形態では、前記表示装置は、操作部を有し、前記制御部は、前記操作部によって前記第２の生体情報測定装置による前記第２の生体情報の測定を開始する操作に基づいて、前記第２の表示モードによる表示を実行する。
【００１６】
本発明によれば、表示装置が有する操作部を操作することで第２の生体情報測定装置による第２の生体情報の測定を開始するが、この操作に基づいて、表示装置の表示が第２の表示モードとなったことで、使用者は、第２の生体情報測定装置による測定が可能な状態となったことを確認できるほか、第２の生体情報測定装置による測定中も、表示装置に表示された第２の生体情報を確実に視認することができる。
【００１７】
本発明の好ましい形態では、前記制御部は、前記第２の生体情報測定装置で測定された前記第２の生体情報に対応する信号を受信すると、前記第２の表示モードによる表示を実行する。
【００１８】
本発明によれば、使用者が表示装置のモードを変更する特段の操作を行うことなく、使用者が第２の生体情報測定装置による第２の生体情報の測定を開始することで、表示装置の表示が第２の表示モードとなるため、利便性が高い生体情報測定システムを提供することができる。
【発明の効果】
【００１９】
本発明によれば、表示装置から離れて配置された生体情報測定装置による測定中に、表示装置に表示された生体情報の視認性が向上するので、生体情報測定装置による測定が完了したことを表示装置の表示で視認することができ、使い勝手のよい生体情報測定システムを提供することができる。
【発明を実施するための最良の形態】
【００２０】
以下、本発明の実施の形態について図面を参照しつつ説明する。なお、各図面中、同様の構成要素には同一の符号を付して詳細な説明は適宜省略する。
図１は、本発明の実施の形態にかかる生体情報測定システムが設置されたトイレ室を例示する模式図である。
【００２１】
図１に表したトイレ室には、便器６０２と、便器６０２の後方の壁面６５０ａに付設されたライニング６０６と、便器６０２の側方において前後方向に延在する棚板６１０と、が設けられている。便器６０２には、局部洗浄装置６０４を設けることができる。局部洗浄装置６０４は、便座に座った使用者の「おしり」などに水を噴射して、「おしり」などを洗浄することができる。棚板６１０の下方には、キャビネット６１２、６１４が設けられている。また、棚板６１０の下方には、トイレットペーパー６１８やペーパーホルダ６１６が設けられていてもよいし、棚板６１０の上面には、水栓６２０を付設したボウル６２２が設けられていてもよい。さらに、棚板６１０の上方の壁面には、鏡６２４が設けられていてもよい。壁面６５０ｂには、トイレリモコン６３０が付設されている。使用者は、トイレリモコン６３０を操作することによって、例えば便器６０２の洗浄を実行させたり、便器６０２の便座や便蓋を電動により開閉させることができる。
【００２２】
本実施形態にかかる生体情報測定システムは、使用者の尿を採尿して体温や尿糖値を測定する尿糖計２００や、血圧を測定する血圧計３００や、体重を測定する体重計４００などの複数の生体情報測定装置と、を備えている。さらに、生体情報測定装置の測定値を表示する表示部（表示装置）を有する端末装置１００を備えている。
【００２３】
そして、後に詳述するように、本実施形態においては、端末装置１００の表示部は、端末装置１００からやや離れた場所に設置される体重計４００の測定値を表示する時には、大きなサイズの文字や数字で表示する。こうすることにより、体重計４００に乗って体重を測定する使用者からみて、端末装置１００の表示部に表示される測定値が見やすくなり、体重の測定を確実且つ容易に実行することができる。
以下、本実施形態の生体情報測定システムを構成する各要素について、詳細に説明する。
【００２４】
端末装置１００は、トイレリモコン６３０の側方に設けられている。端末装置１００は、尿糖計２００や血圧計３００や体重計４００などの複数の生体情報測定装置から送信された測定値に対応する信号を受信し、端末装置１００が有する表示部にそれらの測定値を表示する機能と、端末装置１００が有するメモリにそれらの測定値を記憶する機能と、を有している。
【００２５】
尿糖計２００は、ライニング６０６の内部に設けられている。尿糖計２００は、後述する受尿装置によって採尿された尿を搬送管２６８を通して取り入れて、尿糖値や体温（尿温）を測定する機能を有している。また、尿糖計２００は、尿糖計２００と端末装置１００との間に接続された有線２０６を通して、測定値（尿糖値、体温値）を端末装置１００に送信することができる。但し、尿糖計２００の測定値の送信部は、有線通信だけに限られるわけではなく、例えば赤外線通信や電波通信などの無線通信であってもよい。
【００２６】
端末装置１００の下方には、尿糖計リモコン２３０が設けられている。使用者は、尿糖計リモコン２３０を操作することによって、尿糖値や体温の測定を開始することができる。なお、図１に表したトイレ室において、尿糖計リモコン２３０は端末装置１００の直ぐ下方に設けられているが、これだけに限られるわけではなく、端末装置１００から離れて設けられていてもよい。
【００２７】
血圧計３００は、端末装置１００のほぼ真下に位置するキャビネット６１４の内部に収納されている。血圧を測定する場合には、使用者はキャビネット６１４から血圧計３００を取り出し、便座に着座した状態のままで、例えば腕などに装着して血圧を測定することができる。血圧計３００は、例えば赤外線通信や電波通信などの無線通信によって、測定値（血圧値）に対応する信号を端末装置１００に送信することができる。この場合、尿糖計２００と同様に、有線を通して測定値に対応する信号を端末装置１００に送信することもできるが、便座に着座した使用者が血圧計３００をキャビネットから取り出して血圧を測定することを考慮すると、血圧計３００は無線通信によって信号を端末装置１００に送信するほうが使いやすい。
【００２８】
体重計４００は、床面６５０ｅの下方に設けられている。体重計４００の上方には、体重計パネル４０２が床面６５０ｅと略同一面となるように設けられている。そのため、体重計４００は、体重計パネル４０２に覆われており、使用者から見えない状態で配置されている。使用者は、体重計パネル４０２の上に立つことによって、体重を測定することができる。体重計４００は、体重計４００と端末装置１００との間に接続された有線４０６を通して、測定値（体重値）に対応する信号を端末装置１００に送信することができる。
【００２９】
尚、尿糖計２００の場合と同様に、体重計４００の測定値の送信部は、有線通信だけに限られるわけではなく、例えば赤外線通信や電波通信などの無線通信であってもよい。また、体重計４００は必ずしも床面６５０ｅに埋め込まれている必要は無く、床面６５０ｅ上に載置してもよい。
【００３０】
ここで、体重計４００は、便器６０２やボウル６２２から幾分離れた位置に設けられている。これは、使用者が便器６０２で用便した際やボウル６２２で手洗いを行った際などに、尿や水が不意に飛散し、体重計パネル４０２と床面６５０ｅとの隙間から浸入するなどして、故障の原因となったり不衛生な状態となる事態を避けるためである。このため、端末装置１００から体重計４００（第２の生体情報測定装置）の上に立つ使用者のおおよその目の位置Ｅ２までの距離Ｌ２は、端末装置１００から便器６０２（第１の生体情報測定装置）における使用者のおおよその目の位置Ｅ１までの距離Ｌ１よりも大きなものとなっている。
【００３１】
図２は、本実施形態にかかる生体情報測定システムの構成を例示するブロック図である。
本実施形態にかかる生体情報測定システムは、前述したように、尿糖計２００や血圧計３００や体重計４００などの複数の生体情報測定装置と、端末装置１００と、を備えている。
【００３２】
端末装置１００は、複数の生体情報測定装置から送信された信号を受信する受信部１０２と、信号に付加された個人ＩＤ（Identification）を判別する機能などを有する制御部１０４と、制御部１０４が各生体情報測定装置の測定値を表示させる表示部１０６と、測定値を記憶するメモリ１０８と、使用者を特定する端末装置個人特定部１１０と、使用者が種々の操作を行う操作部１１２と、を有している。受信部１０２の受信方法は、有線通信であってもよいし、例えば赤外線通信や電波通信などの無線通信であってもよい。
【００３３】
一方、生体情報測定装置の１つである尿糖計２００は、使用者の体温および尿糖値を測定する尿糖計測定部２１０と、測定値（体温値、尿糖値）に対応する信号を端末装置１００に送信する尿糖計送信部２１２と、端末装置１００に送信する信号に尿糖計個人特定部２３２で特定された個人ＩＤを付加する尿糖計信号生成部２１４と、を有している。なお、尿糖計個人特定部２３２は、尿糖計リモコン２３０に設けられている。
【００３４】
血圧計３００は、使用者の血圧を測定する血圧計測定部３１０と、測定値（血圧値）に対応する信号を端末装置１００に送信する血圧計送信部３１２と、使用者を特定する血圧計個人特定部３３２と、端末装置１００に送信する信号に血圧計個人特定部３３２で特定された個人ＩＤを付加する血圧計信号生成部３１４と、を有している。
【００３５】
体重計４００は、使用者の体重を測定する体重計測定部４１０と、測定値（体重値）に対応する信号を端末装置１００に送信する体重計送信部４１２と、を有している。
【００３６】
尿糖計２００は、図２に表したように、測定値（体温値、尿糖値）に対応する信号に尿糖計個人特定部２３２で特定された個人ＩＤを付加して、尿糖計送信部２１２から端末装置１００に送信することができる。これと同様に、血圧計３００は、測定値（血圧値）に対応する信号に血圧計個人特定部３３２で特定された個人ＩＤを付加して、血圧計送信部３１２から端末装置１００に送信することができる。一方、体重計は測定値（体重値）に対応する信号のみを体重計送信部４１２から端末装置１００に送信することができる。
【００３７】
図３は、本実施形態にかかる生体情報測定システムの動作を説明するための模式図である。本実施形態にかかる生体情報測定システムにおいて、使用者は尿糖計リモコン２３０に設けられた尿糖計個人特定部２３２を操作することによって、体温や尿糖値の測定を開始することができる。尿糖計個人特定部２３２は、図３に表したように、例えば「ユーザー１」として使用者を特定するスイッチ２３２ａ、「ユーザー２」として使用者を特定するスイッチ２３２ｂ、「ユーザー３」として使用者を特定するスイッチ２３２ｃ、「ユーザー４」として使用者を特定するスイッチ２３２ｄ、「ゲスト」として使用者を特定するスイッチ２３２ｅなどを有している。
【００３８】
使用者が、例えばスイッチ２３２ａを操作して体温や尿糖値の測定を開始しようとすると、尿糖計リモコン２３０は測定命令を尿糖計２００に出す。この測定命令を受けた尿糖計２００は、受尿装置によって採尿された尿から体温や尿糖値を測定し、その測定値に対応する信号に個人ＩＤ（ユーザー１）を付加して端末装置１００に送信する。
【００３９】
一方、使用者は血圧計３００に設けられた血圧計個人特定部３３２を操作することによって、血圧の測定を開始することができる。血圧計個人特定部３３２は、尿糖計個人特定部２３２と同様に、例えば「ユーザー１」として使用者を特定するスイッチ３３２ａ、「ユーザー２」として使用者を特定するスイッチ３３２ｂ、「ユーザー３」として使用者を特定するスイッチ３３２ｃ、「ユーザー４」として使用者を特定するスイッチ３３２ｄ、「ゲスト」として使用者を特定するスイッチ３３２ｅなどを有している。
【００４０】
使用者が、例えばスイッチ３３２ｂを操作して血圧の測定を開始しようとすると、血圧計３００は、使用者の血圧を測定し、その測定値に対応する信号に「ユーザー２」として特定された個人ＩＤを付加して端末装置１００に送信する。
【００４１】
さらに、使用者は端末装置１００の操作部１１２を操作するか、または体重計パネル４０２の上に立つことによって体重の測定を開始することができる。体重計４００は使用者の体重を測定し、その測定値に対応する信号を端末装置１００に送信する。
【００４２】
また、本実施形態にかかる生体情報測定システムにおいては、端末装置１００の表示部１０６が消灯している場合、使用者は操作部１１２の有する「表示入／切」スイッチ１１２ａを操作して表示部１０６を点灯（起動）させることができる。なお、表示部１０６を消灯させる目的は、例えば省電力化や、いわゆる画面焼き付き防止などが挙げられる。表示部１０６が消灯状態から点灯状態になると、後に詳述するように、使用者を特定する画面が表示部１０６に表示される。使用者は尿糖計個人特定部２３２や血圧計個人特定部３３２を操作して、個人（使用者）を特定する操作を行うことで、体温や血圧などの測定を開始することができ、また過去のデータに新たなデータを追加することもできる。
【００４３】
次に、生体情報測定装置および端末装置の詳細について図面を参照しつつ説明する。
図３に表したように、端末装置１００は、前述したように、表示部１０６と、操作部１１２と、を有している。操作部１１２は、表示部１０６の「入／切」を操作する「表示入／切」スイッチ１１２ａと、入力内容などを選択する「選択」スイッチ１１２ｂと、入力内容の決定を指示する「入力」スイッチ１１２ｃと、表示部１０６の表示内容や入力内容を元に戻す「戻る」スイッチ１１２ｄと、を有している。なお、端末装置１００は、表示部１０６の表面に直接触れて操作することができる、いわゆるタッチパネル方式の表示部を有していてもよい。上述した尿糖計個人特定部２３２などの他、この端末装置１００の操作部１１２の操作によっても、個人（使用者）を特定することができる。
【００４４】
表示部１０６には、尿糖計２００や血圧計３００などから送信された測定値の結果が数値あるいはグラフなどとして表示される。また、メモリ１０８（図２参照）に記憶された過去の測定履歴などが表示される。したがって、使用者は表示部１０６に表示された数値あるいはグラフなどによって、体温値や血圧値などの推移を確認することができる。なお、体温値や血圧値などの測定値は、個人ＩＤが付加された状態でメモリ１０８に記憶されているため、使用者ごとの測定履歴が表示部１０６に表示される。
【００４５】
図３に表したように、尿糖計リモコン２３０は、前述したように、使用者を特定する「ユーザー１」スイッチ２３２ａと、「ユーザー２」スイッチ２３２ｂと、「ユーザー３」スイッチ２３２ｃと、「ユーザー４」スイッチ２３２ｄと、「ゲスト」スイッチ２３２ｅと、を有している。また、尿糖計リモコン２３０は、尿糖値の測定開始を指示する「尿糖」スイッチ２３４と、測定などの中止を指示する「中止」スイッチ２３６と、後に詳述する採尿装置の回動アームの位置を操作する「アーム位置前」スイッチ２３８と、「アーム位置後」スイッチ２４０と、採尿装置の掃除を実行させる「掃除入／切」スイッチ２４２と、を有している。
【００４６】
使用者がスイッチ２３２ａ、スイッチ２３２ｂ、スイッチ２３２ｃ、スイッチ２３２ｄ、あるいはスイッチ２３２ｅなどの個人（使用者）を特定するスイッチ類を操作すると、尿糖計２００は後述する受尿部２５４を受尿位置に移動させて体温の測定を開始する。なおこの際、使用者が「尿糖」スイッチ２３４を操作すると、尿糖計２００は体温と併せて尿糖値も測定する。すなわち、使用者が「尿糖」スイッチ２３４を操作しない場合には、尿糖計２００は体温のみを測定する。
【００４７】
図４は、端末装置１００の制御部１０４が、生体情報測定装置による測定値を表示部１０６に表示させる際の表示モードを例示したものである。まず、表示モードの一つとして、測定項目である体重Ｐ１、体温Ｐ２、尿糖Ｐ３、血圧Ｐ４、脈拍Ｐ５を縦に配列して表示する「一覧表示モード（第１の表示モード）」がある（図４（ａ））。このとき、文字で表示される測定項目Ｐ１〜Ｐ５の右側には、それぞれに対応する測定値である体重値Ｎ１、体温値Ｎ２、尿糖値Ｎ３、血圧値Ｎ４、脈拍値Ｎ５が数字で表示される。これにより、使用者は測定値をまとめて把握することができる。表示部１０６の表示スペース内で、測定項目Ｐ１〜Ｐ５およびそれぞれに対応する測定値Ｎ１〜Ｎ５を同時に表示させるため、この一覧表示モードでは測定項目Ｐ１〜Ｐ５の文字および測定値Ｎ１〜Ｎ５の数字は例えば１６ポイントの大きさで表示される。
【００４８】
さらに、もう一つの表示モードとして、体重計４００による測定中の体重値Ｎ１（測定値）を、例えば９０ポイントの大きさの数字で表示させる「拡大表示モード（第２の表示モード）」がある（図４（ｂ））。このとき、体重Ｐ１以外の測定項目Ｐ２〜Ｐ５を表示しないことで、表示部１０６の表示スペース内で、前述の「一覧表示モード」に比べて体重値Ｎ１を大きなサイズの数字で表示させることを可能としている。これにより、測定中に表示部１０６に表示される体重値Ｎ１の視認性が大きく向上する。これらの表示モードについては、後に図面を参照しつつ詳述する。
【００４９】
図５は、本実施形態の受尿装置を例示する模式図である。
受尿装置２５０は、受尿部２５４と、回動アーム２５２と、を有している。受尿部２５４と回動アーム２５２とは互いに締結され、便器６０２に付設された駆動部２６６が回動アーム２５２を駆動させることで、受尿部２５４は便器６０２のボウル６０２ａの内部を移動することができる。図５に表した受尿装置２５０は、受尿部２５４が受尿位置にある状態を表している。この状態において、使用者が便座６０２ｂに着座した状態で受尿部２５４に尿を当てることによって、受尿装置２５０は受尿を行うことができる。
【００５０】
受尿装置２５０で受尿された尿は、搬送管２６８（図１参照）を通って尿糖計２００に搬送される。これにより、使用者は便座６０２ｂに着座した状態のままで、体温（尿温）や尿糖値を測定することができる。
【００５１】
図３に表したように、血圧計３００は、前述したように、使用者を特定する「ユーザー１」スイッチ３３２ａと、「ユーザー２」スイッチ３３２ｂと、「ユーザー３」スイッチ３３２ｃと、「ユーザー４」スイッチ３３２ｄと、「ゲスト」スイッチ３３２ｅと、を有している。また、血圧計３００は、測定などの中止を指示する「中止」スイッチ３３６をさらに有している。血圧計３００の上部には、測定値（血圧値、脈拍値）を表示する表示部３０６が設けられている。
【００５２】
使用者がスイッチ３３２ａ、スイッチ３３２ｂ、スイッチ３３２ｃ、スイッチ３３２ｄ、あるいはスイッチ３３２ｅなどの個人（使用者）を特定するスイッチ類を操作すると、血圧計３００は、個人ＩＤの認証を行った上で血圧の測定を開始する。
【００５３】
次に、本実施形態にかかる生体情報測定システムの動作の具体例について図面を参照しつつ説明する。
図６〜図１１は、本具体例において表示部１０６に表示される内容を例示する模式図である。
【００５４】
まず、使用者が体温や血圧の測定を開始する前に、表示部１０６が消灯している場合がある（図６（ａ））。これは、図３に関して前述したように、例えば省電力化や、いわゆる画面焼き付き防止などのためである。このように、端末装置１００は、常時は制御部１０４だけが起動している状態、いわゆるスリープ状態であってもよい。
【００５５】
この状態から、使用者は端末装置１００の「表示入／切」スイッチ１１２ａを操作して表示部１０６を点灯させることができる（図６（ｂ））。「表示入／切」スイッチ１１２ａの操作が行われると、表示部１０６には端末装置１００に登録されている複数の使用者の名前が表示され、何れの個人（使用者）として体温や血圧などを測定し、記録を行うかの特定（選択）が促される（図６（ｂ））。
【００５６】
ここで、使用者が「ユーザー１」を特定したものとする。すると制御部１０４は、「ユーザー１」の測定項目Ｐ１〜Ｐ５およびその測定値Ｎ１〜Ｎ５を、表示部１０６に「一覧表示モード」で表示させる（図６（ｃ））。ここでは、生体情報測定装置による測定が行われる前であるため、測定値Ｎ１〜Ｎ５が表示される箇所には、未測定であることを示す「０．０」または「−」が表示されている。この状態は、生体情報測定装置による測定を待機している、いわゆるスタンバイ状態である。
【００５７】
次に、このスタンバイ状態より、使用者が尿糖計リモコン２３０のスイッチ２３２ａを操作し、「ユーザー１」として個人（使用者）を特定（選択）したものとする。これにより、尿糖計リモコン２３０は尿糖計２００に測定命令を出し、尿糖計２００は体温の測定を行う（図７（ａ））。なお、尿糖計２００は図３に関して前述したように、使用者が「尿糖」スイッチ２３４を操作した場合には、尿糖計２００は体温と併せて尿糖値も測定するものである。ここでは、使用者が尿糖値の測定を所望し、「尿糖」スイッチ２３４も操作したものとする。
【００５８】
続いて、尿糖計２００の測定値（体温値、尿糖値）に対応する信号に個人ＩＤ（ユーザー１）が付加されて、尿糖計２００の尿糖計送信部２１２より端末装置１００に送信される。端末装置１００は受信部１０２を介してその信号を受信すると、受信した信号に対応する測定値（体温値、尿糖値）を表示部１０６に表示させる（図７（ｂ））。このときの体温値Ｎ２、尿糖値Ｎ３は、表示部１０６が前述の「一覧表示モード」のまま、未測定の状態では「−」が表示されていた部分に数字で表示される。
【００５９】
その後、その測定値を「ユーザー１」に関するデータとして、メモリ１０８に記録する旨のメッセージが表示部１０６に表示される（図７（ｃ））。表示された体温値Ｎ２、尿糖値Ｎ３が、外乱などによって明らかに異常な値を示しており、メモリ１０８に記録する測定値として不適当であると使用者が判断した場合などには、端末装置１００の「戻る」スイッチ１１２ｄを操作して記録を中断させることができる。測定が正常に行われ、メモリ１０８への測定値の記録が完了した場合には、制御部１０４は、測定項目Ｐ１〜Ｐ５および測定値Ｎ１〜Ｎ５を、表示部１０６に「一覧表示モード」で表示させる（図８）。
【００６０】
以上説明したように、尿糖計２００による測定値（体温値、尿糖値）の表示およびメモリ１０８への記録においては、表示部１０６に体温値Ｎ２、尿糖値Ｎ３が例えば１６ポイントの大きさの数字で表示される。これは、一般的な使用者が便器６０２の便座に座った位置から読み取ることが容易であり、且つ複数の測定項目Ｐ１〜Ｐ５と、その測定値Ｎ１〜Ｎ５とを表示部１０６に同時に表示させることが可能な程度の大きさとして設定されたものである。したがって、使用者は便座６０２ｂに着座したままの状態で、測定項目Ｐ１〜Ｐ５および測定値Ｎ１〜Ｎ５を一目で確認し、体温、尿糖値の測定が正しく行われたことや、他の測定項目（体重Ｐ１、血圧Ｐ４、脈拍Ｐ５）が未測定の状態であることを確実且つ容易に確認することができる。
【００６１】
一方、前述した図６（ｃ）のスタンバイ状態から、使用者が体重値の測定を選択した場合の動作について説明する。使用者は端末装置１００の「選択」スイッチ１１２ｂおよび「入力」スイッチ１１２ｃを操作して、図６（ｃ）の表示部１０６の右上に表示された「体重」を選択することで、体重の測定を選択することができる。
【００６２】
使用者が体重の測定を選択すると、制御部１０４は、表示部１０６の表示を「拡大表示モード」に移行させる（図９（ａ））。すなわち、測定項目のうち体重Ｐ１だけが表示部１０６に表示され、その下方に体重値Ｎ１が数字で表示される。この時点では未測定のため、体重値Ｎ１として「０．０」が表示されている。
【００６３】
続いて、使用者が体重計パネル４０２の上に立つことで、体重の測定が開始される。具体的には、使用者が体重計パネル４０２の上に立つと、図２に関して前述した体重計４００の体重計測定部４１０で体重値が測定され、体重計送信部４１２が当該体重値に対応する信号を端末装置１００に送信する。端末装置１００が受信部１０２を介してその信号を受信すると、表示部１０６には測定中の体重値Ｎ１が数字で表示される（図９（ｂ））。
【００６４】
ここで、体重計パネル４０２の上に立つ使用者の姿勢が安定するまで、体重計測定部４１０で測定する体重値には変動が生じる。体重計送信部４１２は、この変動の間も体重値に対応する信号を逐次送信するよう構成されているため、表示部１０６には変動する体重値がほぼリアルタイムに数値で表示される。
【００６５】
そして、体重計測定部４１０で測定する体重値の変動が微小になると、使用者の姿勢が安定して正確な体重値を特定できたものと制御部１０４が判断し、表示部１０６に表示される体重値Ｎ１の数値が確定される。続いて、その体重値Ｎ１を「ユーザー１」に関するデータとして、メモリ１０８に記録する旨のメッセージが表示部１０６に表示される（図９（ｃ））。ここで、表示された体重値Ｎ１が、外乱などによって明らかに異常な値であり、メモリ１０８に記録する測定値として不適当であると使用者が判断した場合などには、端末装置１００の「戻る」スイッチ１１２ｄを操作して記録を中断させることができる。
【００６６】
測定が正常に行われ、メモリ１０８への測定値の記録が完了した場合には、制御部１０４は、体重値Ｎ１を表示部１０６に表示させる（図１０（ａ））。この状態より、使用者が「戻る」スイッチ１１２ｄを操作するか、または表示から１５分間、生体情報測定装置による測定が行われなかった場合には、制御部１０４は、表示部１０６の表示を測定項目Ｐ１〜Ｐ５と測定値Ｎ１〜Ｎ５とを一覧で表示させる「一覧表示モード」に移行させる（図１０（ｂ））。このとき、体重値Ｎ１が数字で表示される。
【００６７】
次に、図６（ｂ）の画面において、使用者が何れの個人（使用者）として測定を行うかの特定を行わないまま、体重の測定を開始する場合の動作について説明する。何れの個人として測定を行うかの特定を行わないまま、使用者が体重計パネル４０２の上に立つと、体重計４００の体重計測定部４１２は体重の測定を開始し、体重計送信部４１２は当該体重値に対応する信号を端末装置１００に送信する。
【００６８】
端末装置１００が当該信号を受信部１０２を介して受信すると、表示部１０６には測定項目である体重Ｐ１および体重値Ｎ１が「拡大表示モード」で表示される（図１１（ａ））。このときの体重値Ｎ１は、暫定的に「ゲスト」のものとして表示される。
【００６９】
ここでも、体重計送信部４１２は、体重計パネル４０２の上に立つ使用者の姿勢が安定するまでの間も、変動する体重値に対応する信号を逐次送信するよう構成されているため、表示部１０６には変動する体重値がほぼリアルタイムに数字で表示される。そして、体重計測定部４１０で測定する体重値の変動が微小になると、使用者の姿勢が安定して正確な体重値を特定できたものと制御部１０４が判断し、表示部１０６に表示される体重値Ｎ１の数値が確定される。個人（使用者）の特定を行わないまま測定された体重値は、メモリ１０８に記録されることなく「拡大表示モード」のまま表示部１０６に表示される。この状態より、使用者が「戻る」スイッチ１１２ｄを操作するか、または表示から１５分間、生体情報測定装置による測定が行われなかった場合には、測定項目Ｐ１〜Ｐ５と測定値Ｎ１〜Ｎ５とを一覧で表示させる「一覧表示モード」へと移行する（図１１（ｂ））。このとき、体重値Ｎ１が数字で表示される。（図１１（ｂ））。
【００７０】
以上説明したように、体重計４００による測定中は、表示部１０６に体重値Ｎ１を数字で表示するものとし、さらにその数字は例えば９０ポイントの大きさとしている。これは、表示部１０６からみて便器６０２よりも離れた体重計４００の位置から、一般的な使用者が読み取ることが可能な程度の大きさとして設定されたものである。したがって、使用者は、体重計測定部４１０で測定している体重値Ｎ１の変動を、体重計パネル４０２の上に立った状態で表示部１０６を見ながら確認することが容易となる。すなわち、使用者の姿勢が安定し、体重値が正常に測定されたことを、体重計パネル４０２の上に立った状態のままで確認することができるため、体重値の確定が終わらないまま、使用者が体重計パネル４０２より降りてしまうといった不具合がない。
【００７１】
以上、本発明の実施の形態について説明したが、本発明はこれらの記述に限定されるものではない。例えば、前述した具体例においては、使用者の生体情報が表示部１０６に数字で表示される場合について説明したが、生体情報は数字に限らず、文章などの文字で表示し、文字のサイズを変更することで視認性を向上させてもよい。
また、前述した具体例においては、体重計４００が遠くに配置される場合について説明したが、体重計４００ではなく、血圧計３００のほうが表示部１０６からみて遠くに配置されるような場合には、血圧値を表示する際の数字や文字を拡大することができる。
また、生体情報測定システムが有する測定装置の種類や数についても、前述した具体例には限定されず、その他、各種の測定装置を備えたものであってもよい。
またさらに、前述の実施の形態では、トイレ室に設置された生体情報測定システムを具体例としているが、他の用途に用いられるものであっても本発明の特徴を備えている限り、本発明の技術的範囲に包摂されると考えるべきである。例えば本発明は、医療機関等において患者の身体の状態を複数の測定装置を用いて測定するシステムや、スポーツ施設等において運動者の身体能力を複数の測定装置を用いて測定するシステムにも適用が可能である。
また、前述した各実施の形態が備える各要素は、技術的に可能な限りにおいて組み合わせることができ、これらを組み合わせたものも本発明の特徴を含む限り本発明の技術的範囲に包摂される。
【図面の簡単な説明】
【００７２】
【図１】本発明の実施の形態にかかる生体情報測定システムが設置されたトイレ室を例示する模式図である。
【図２】本実施形態にかかる生体情報測定システムの構成を例示するブロック図である。
【図３】本実施形態にかかる生体情報測定システムの動作を説明するための模式図である。
【図４】本実施形態の表示部の表示モードを例示する模式図である。
【図５】本実施形態の受尿装置を例示する模式図である。
【図６】本具体例の動作において表示部に表示される内容を例示する模式図である。
【図７】本具体例の動作において表示部に表示される内容を例示する模式図である。
【図８】本具体例の動作において表示部に表示される内容を例示する模式図である。
【図９】本具体例の動作において表示部に表示される内容を例示する模式図である。
【図１０】本具体例の動作において表示部に表示される内容を例示する模式図である。
【図１１】本具体例の動作において表示部に表示される内容を例示する模式図である。
【符号の説明】
【００７３】
１００ 端末装置、  １０２ 受信部、  １０４ 制御部、  １０６ 表示部、  １０８ メモリ、  １１０ 端末装置個人特定部、  １１２ 操作部、  １１２ａ、１１２ｂ、１１２ｃ、１１２ｄ スイッチ、  ２００ 尿糖計、  ２０６ 有線、  ２１０ 尿糖計測定部、  ２１２ 尿糖計送信部、  ２１４ 尿糖計信号生成部、  ２３０ 尿糖計リモコン、  ２３２ 尿糖計個人特定部、  ２３２ａ、２３２ｂ、２３２ｃ、２３２ｄ、２３２ｅ、２３４、２３６、２３８、２４０、２４２ スイッチ、  ２５０ 受尿装置、  ２５２ 回動アーム、  ２５４ 受尿部、  ２６６ 駆動部、  ２６８ 搬送管、  ３００ 血圧計、  ３０６ 表示部、  ３１０ 血圧計測定部、  ３１２ 血圧計送信部、  ３１４ 血圧計信号生成部、  ３３２ 血圧計個人特定部、  ３３２ａ、３３２ｂ、３３２ｃ、３３２ｄ、３３２ｅ、３３６ スイッチ、  ４００ 体重計、  ４０２ 体重計パネル、  ４０６ 有線、  ４１０ 体重計測定部、  ４１２ 体重計送信部、  ６０２ 便器、  ６０２ａ ボウル、  ６０２ｂ  便座、  ６０４ 局部洗浄装置、  ６０６ ライニング、  ６１０ 棚板、  ６１２、６１４ キャビネット、  ６１６ ペーパーホルダ、  ６１８ トイレットペーパー、  ６２０ 水栓、  ６２２ ボウル、  ６２４ 鏡、  ６３０ トイレリモコン、  ６５０ａ、６５０ｂ 壁面、  ６５０ｅ 床面
【図１】
2010017253.tif 000003
【図２】
2010017253.tif 000004
【図３】
2010017253.tif 000005
【図４】
2010017253.tif 000006
【図５】
2010017253.tif 000007
【図６】
2010017253.tif 000008
【図７】
2010017253.tif 000009
【図８】
2010017253.tif 000010
【図９】
2010017253.tif 000011
【図１０】
2010017253.tif 000012
【図１１】
2010017253.tif 000013